【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
イベントに関連付けられているゲストリストにアクセスする工程であって、前記ゲストリストは、前記イベントに招待されているソーシャルネットワーキングシステムのユーザを識別する、工程と、
前記ゲストリストによって識別された前記ユーザのそれぞれに関して、プロセッサが、前記ユーザから受け取られた応答に基づいて前記ユーザの受け入れ状態を特定する工程と、
前記プロセッサが、前記ゲストリストによって識別されたユーザを、前記ユーザのそれぞれに関連付けられている前記受け入れ状態に基づいて１以上のグループへとグループ化する工程であって、前記１以上のグループのそれぞれは、共通の受け入れ状態を有するユーザを含む、工程と、
前記１以上のグループから１つのグループを選択する工程と、
閲覧ユーザに関連付けられているユーザプロフィールにアクセスする工程と、
選択された前記グループ内のユーザに関連付けられているユーザプロフィールにアクセスする工程であって、前記ユーザプロフィールは、選択された前記グループ内のユーザの特徴を識別する、工程と、
選択された前記グループ内のユーザを、前記閲覧ユーザに関連付けられているユーザプロフィール、および選択された前記グループ内のユーザに関連付けられているユーザプロフィールからの情報に基づいてランク付けする、第１ランク付け工程と、
前記ランク付けに基づいて前記ゲストリストによって識別された複数のユーザを含む表示を特定する、ユーザ表示特定工程と、
特定された前記表示を前記閲覧ユーザに提示する、表示提示工程と、を含む方法。
【請求項２】
前記第１ランク付け工程は、
前記閲覧ユーザにつながっている選択された前記グループ内のユーザを識別する工程と、
前記閲覧ユーザにつながっている選択された前記グループ内のユーザを、前記閲覧ユーザに対する親和性に基づいてランク付けする工程とをさらに含む、請求項１に記載の方法。
【請求項３】
前記第１ランク付け工程は、
前記閲覧ユーザにつながっている選択された前記グループ内のユーザが、前記イベントに関連付けられているホストであるか否かを特定する工程と、
前記閲覧ユーザにつながっている選択された前記グループ内のユーザが、前記イベントに関連付けられているホストであると特定したことに応答して、前記イベントに関連付けられている前記ホストに関連付けられている順位を上げる工程とをさらに含む、請求項２に記載の方法。
【請求項４】
前記第１ランク付け工程は、
前記閲覧ユーザにつながっている選択された前記グループ内のユーザが、前記閲覧ユーザを前記イベントに招待したユーザであるか否かを特定する工程と、
前記閲覧ユーザにつながっている選択された前記グループ内のユーザが、前記閲覧ユーザを前記イベントに招待したユーザを含むと特定したことに応答して、前記閲覧ユーザを前記イベントに招待したユーザに関連付けられている順位を上げる工程とをさらに含む、請求項２に記載の方法。
【請求項５】
前記第１ランク付け工程は、
前記閲覧ユーザにつながっていない選択された前記グループ内のユーザを識別する工程と、
前記閲覧ユーザにつながっていない選択された前記グループ内のそれぞれのユーザに関して、前記閲覧ユーザ、および前記閲覧ユーザにつながっていない選択された前記グループ内のユーザの両方につながっているユーザを特定する工程と、
前記閲覧ユーザにつながっていない選択された前記グループ内のユーザを、前記閲覧ユーザと、前記閲覧ユーザ、および前記閲覧ユーザにつながっていない選択された前記グループ内のユーザの両方につながっている前記ユーザとの間における親和性に基づいてランク付けする工程とを含む、請求項２に記載の方法。
【請求項６】
前記第１ランク付け工程は、
前記閲覧ユーザにつながっていない選択された前記グループ内のユーザを識別する工程と、
前記閲覧ユーザと、前記閲覧ユーザにつながっていない選択された前記グループ内のそれぞれのユーザとの間における共通のつながりの数を特定する工程と、
前記閲覧ユーザにつながっていない選択された前記グループ内のユーザを、前記閲覧ユーザとの共通のつながりの前記数に基づいてランク付けする工程とを含む、請求項５に記載の方法。
【請求項７】
前記第１ランク付け工程は、
前記閲覧ユーザにつながっていない選択された前記グループ内のユーザを識別する工程と、
前記閲覧ユーザにつながっていない選択された前記グループ内のユーザを、前記閲覧ユーザに関連付けられているユーザプロフィール、および前記閲覧ユーザにつながっていない選択された前記グループ内のユーザに関連付けられているユーザプロフィールに基づいてランク付けする、第２ランク付け工程とを含む、請求項５に記載の方法。
【請求項８】
前記第２ランク付け工程は、
前記閲覧ユーザに関連付けられているユーザプロフィールから前記閲覧ユーザの交際状態を特定する工程と、
前記閲覧ユーザの交際状態がシングルであると特定したことに応答して、前記閲覧ユーザに関連付けられているユーザプロフィールから前記閲覧ユーザの好む性別を特定する工程と、
シングルの交際状態を有し前記閲覧ユーザの好む性別であるユーザであって、前記閲覧
ユーザにつながっていない選択された前記グループ内のユーザを識別する工程とを含む、請求項７に記載の方法。
【請求項９】
前記ユーザ表示特定工程は、
識別された前記ユーザを選択する工程を含む、請求項８に記載の方法。
【請求項１０】
前記表示提示工程は、
前記イベントに関連付けられているページを生成する工程を含み、前記ページは、特定された前記表示を含む、請求項１に記載の方法。
【請求項１１】
前記閲覧ユーザに表示するために前記イベントに関連付けられているページを生成する前記工程は、
選択されたユーザの前記グループが、前記閲覧ユーザにつながっているユーザを含んでいることに応答して、選択された前記グループのユーザのそれぞれに関してイメージおよびユーザ名を取り出す工程と、
選択されたユーザの前記グループが、前記閲覧ユーザにつながっているユーザを含んでいないことに応答して、選択された前記グループのユーザのそれぞれに関してイメージを取り出す工程とを含む、請求項１０に記載の方法。
【請求項１２】
前記イベントに関連付けられている前記ページに前記閲覧ユーザがアクセスする都度、選択された前記グループのユーザのそれぞれに関する前記イメージが、異なる順序に配置される、請求項１１に記載の方法。
【請求項１３】
前記受け入れ状態は、ユーザが前記イベントに出席することを受け取られた応答が示す旨を示す、受け入れ済み状態と、前記イベントに出席することに関して前記ユーザが不確かであることを受け取られた応答が示す旨を示す、可能性あり状態と、前記ユーザが招待を受け取っているが前記招待に応答していない旨を示す、招待されている状態と、前記ユーザが前記イベントに出席しない旨を示す、辞退済み状態とから成るグループから選択される、請求項１に記載の方法。
【請求項１４】
前記ユーザ表示特定工程は、
前記ゲストリスト内のユーザのリストを含む表示を生成する工程であって、前記リストは前記ランク付けに基づいて順序付けられる、工程を含む、請求項１に記載の方法。
【請求項１５】
前記ユーザ表示特定工程は、
選択された前記グループ内のユーザのサブセットと、選択された前記グループに関連付けられている前記共通の受け入れ状態とを含む表示を生成する工程を含む、請求項１に記載の方法。
【請求項１６】
イベントに関連付けられているゲストリストにアクセスする工程であって、前記ゲストリストは、前記イベントに招待されているソーシャルネットワーキングシステムのユーザを識別する、工程と、
前記ゲストリストによって識別された前記ユーザのそれぞれに関して、プロセッサが、前記ユーザから受け取られた応答に基づいて前記ユーザの受け入れ状態を特定する工程と、
前記プロセッサが、前記ゲストリストよって識別されたユーザを、前記ユーザのそれぞれに関連付けられている前記受け入れ状態に基づいて１以上のグループへとグループ化する工程であって、前記１以上のグループのそれぞれは、共通の受け入れ状態を有するユーザを含む、工程と、
前記１以上のグループから１つのユーザのグループを選択する工程と、
選択された前記グループ内のユーザを、閲覧ユーザと、選択された前記グループ内のユーザとの間における対話に基づいてランク付けする工程と、
前記ランク付けに基づいて前記ゲストリストによって識別された複数のユーザを含む表示を特定する工程と、
特定された前記表示を前記閲覧ユーザに提示する工程と、を含む方法。
【請求項１７】
前記閲覧ユーザと、選択された前記グループ内のユーザとの間における対話は、前記閲覧ユーザと、選択された前記グループ内のユーザとの間におけるつながり、前記閲覧ユーザと、選択された前記グループ内のユーザとに共通した関心、選択された前記グループ内のユーザが出席した以前のイベント、前記閲覧ユーザが出席した以前のイベント、および前記閲覧ユーザと、選択された前記グループ内のユーザとの間における通信から成るグループから選択される１以上を含む、請求項１６に記載の方法。
【請求項１８】
非一時的コンピュータ可読メモリとして現わしたコンピュータプログラムであって、工程を実行するための命令を含み、前記工程は、
イベントに関連付けられているゲストリストにアクセスする工程であって、前記ゲストリストは、前記イベントに招待されているソーシャルネットワーキングシステムのユーザを識別する、工程と、
前記ゲストリストによって識別された前記ユーザのそれぞれに関して、プロセッサが、前記ユーザから受け取られた応答に基づいて前記ユーザの受け入れ状態を特定する工程と、
前記プロセッサが、前記ゲストリストによって識別されたユーザを、前記ユーザのそれぞれに関連付けられている前記受け入れ状態に基づいて１以上のグループへとグループ化する工程であって、前記１以上のグループのそれぞれは、共通の受け入れ状態を有するユーザを含む、工程と、
前記１以上のグループから１つのグループを選択する工程と、
閲覧ユーザに関連付けられているユーザプロフィールにアクセスする工程と、
選択された前記グループ内のユーザに関連付けられているユーザプロフィールにアクセスする工程であって、前記ユーザプロフィールは、選択された前記グループ内のユーザの特徴を識別する、工程と、
選択された前記グループ内のユーザを、前記閲覧ユーザに関連付けられているユーザプロフィール、および選択された前記グループ内のユーザに関連付けられているユーザプロフィールからの情報に基づいてランク付けする、第１ランク付け工程と、
前記ランク付けに基づいて前記ゲストリストによって識別された複数のユーザを含む表示を特定する、ユーザ表示特定工程と、
特定された前記表示を前記閲覧ユーザに提示する、表示提示工程と、を含むプログラム。
【請求項１９】
前記第１ランク付け工程は、
前記閲覧ユーザにつながっている選択された前記グループ内のユーザを識別する工程と、
前記閲覧ユーザにつながっている選択された前記グループ内のユーザを、前記閲覧ユーザに対する親和性に基づいてランク付けする工程とをさらに含む、請求項１８に記載のプログラム。
【請求項２０】
前記第１ランク付け工程は、
前記閲覧ユーザにつながっている選択された前記グループ内のユーザが、前記閲覧ユーザを前記イベントに招待したユーザであるか否かを特定する工程と、
前記閲覧ユーザにつながっている選択された前記グループ内のユーザが、前記閲覧ユーザを前記イベントに招待したユーザを含むと特定したことに応答して、前記閲覧ユーザを
前記イベントに招待したユーザに関連付けられている順位を上げる工程とをさらに含む、請求項１９に記載のプログラム。
【請求項２１】
前記受け入れ状態は、ユーザが前記イベントに出席することを受け取られた応答が示す旨を示す、受け入れ済み状態と、前記イベントに出席することに関して前記ユーザが不確かであることを受け取られた応答が示す旨を示す、可能性あり状態と、前記ユーザが招待を受け取っているが前記招待に応答していない旨を示す、招待されている状態と、前記ユーザが前記イベントに出席しない旨を示す、辞退済み状態とから成るグループから選択される、請求項１８に記載のプログラム。
【請求項２２】
前記ユーザ表示特定工程は、
前記ゲストリスト内のユーザのリストを含む表示を生成する工程であって、前記リストは前記ランク付けに基づいて順序付けられる、工程を含む、請求項１８に記載のプログラム。
【請求項２３】
非一時的コンピュータ可読メモリとして現わしたコンピュータプログラムであって、工程を実行するための命令を含み、前記工程は、
イベントに関連付けられているゲストリストにアクセスする工程であって、前記ゲストリストは、前記イベントに招待されているソーシャルネットワーキングシステムのユーザを識別する、工程と、
前記ゲストリストによって識別された前記ユーザのそれぞれに関して、プロセッサが、前記ユーザから受け取られた応答に基づいて前記ユーザの受け入れ状態を特定する工程と、
前記プロセッサが、前記ゲストリストよって識別されたユーザを、前記ユーザのそれぞれに関連付けられている前記受け入れ状態に基づいて１以上のグループへとグループ化する工程であって、前記１以上のグループのそれぞれは、共通の受け入れ状態を有するユーザを含む、工程と、
前記１以上のグループから１つのユーザのグループを選択する工程と、
選択された前記グループ内のユーザを、閲覧ユーザと、選択された前記グループ内のユーザとの間における対話に基づいてランク付けする工程と、
前記ランク付けに基づいて前記ゲストリストによって識別された複数のユーザを含む表示を特定する工程と、
特定された前記表示を前記閲覧ユーザに提示する工程と、を含むプログラム。
【請求項２４】
前記閲覧ユーザと、選択された前記グループ内のユーザとの間における対話は、前記閲覧ユーザと、選択された前記グループ内のユーザとの間におけるつながり、前記閲覧ユーザと、選択された前記グループ内のユーザとに共通した関心、選択された前記グループ内のユーザが出席した以前のイベント、前記閲覧ユーザが出席した以前のイベント、および前記閲覧ユーザと、選択された前記グループ内のユーザとの間における通信から成るグループから選択される１以上を含む、請求項２３に記載のプログラム。